(57)【要約】【課題】視聴者にデジタルとアナログ番組を意識させないシームレスなＣＨ選局と高品位ＯＳＤを備えたデジタルアナログ受信装置を提供する。【解決手段】デジタルおよびアナログのいずれのチャンネル番号も全てデジタル側ＣＰＵ１１によって管理するための全ＣＨ管理部２３を追加し、共通のＯＳＤにてＴＶ番組のチャンネル番号、主音声か副音声等の情報をＴＶ画面上に表示し、アナログ選局の指示もデジタル側ＣＰＵ１１がアナログ側ＣＰＵ１５に行い、デジタルアナログチューナの制御線は、アナログ側ＣＰＵ１５によって切り替える。【選択図】  図４
2005027071.tif 000002
【特許請求の範囲】
【請求項１】
デジタル放送及びアナログ放送を受信するデジタルアナログチューナ、第１のＣＰＵ、第２のＣＰＵ、デジタル放送を可視情報に変換するデジタル再生部およびアナログ放送を可視情報に変換するアナログ再生部を備えたデジタルアナログ放送受信装置において、第１のＣＰＵはデジタル放送の有局判断で有局と判断した場合にデジタル放送を可視情報へ変換するようデジタル再生部へ指示し、アナログ放送の有局判断で有局と判断した場合に第２のＣＰＵへ通知し、この通知を受け取った第２のＣＰＵはアナログ放送を可視情報へ変換するようアナログ再生部へ指示することを特徴としたデジタルアナログ放送受信装置。
【請求項２】
第１のＣＰＵはアナログ放送の有局判断で有局と判断した場合にアナログ放送から可視情報への変換をアナログ再生部へ指示し、デジタル放送の有局判断で有局と判断した場合に第２のＣＰＵへ通知し、この通知を受け取った第２のＣＰＵはデジタル放送から可視情報への変換をデジタル再生部へ指示することを特徴とした請求項１記載のデジタルアナログ放送受信装置。
【請求項３】
デジタルアナログチューナの制御を第１のＣＰＵか第２のＣＰＵのどちらかを選択する切り替えスイッチを追加し、前記切り替えスイッチは第１のＣＰＵからの制御することを特徴とした請求項１記載のデジタルアナログ放送受信装置。
【請求項４】
デジタルアナログチューナの制御を第１のＣＰＵか第２のＣＰＵのどちらかを選択する切り替えスイッチを追加し、前記切り替えスイッチは第１のＣＰＵからの制御することを特徴とした請求項２記載のデジタルアナログ放送受信装置。
【請求項５】
デジタル放送及びアナログ放送の全番組の周波数情報を格納する全ＣＨ管理部を追加し、オートスキャン時に第１のＣＰＵは第２のＣＰＵに対して切り替えスイッチの向きを第２のＣＰＵに切り替えてアナログのオートスキャンの指示を行い、このオートスキャンされたアナログ放送の周波数情報を前記全ＣＨ管理部に格納し、通常番組選択時に第１のＣＰＵは視聴者が所望するチャンネル番号に対応する周波数情報を前記ＣＨ管理部から入手し、デジタル放送の場合はデジタルアナログチューナに対して周波数設定を行い、アナログ放送の場合は前記第２のＣＰＵに対して周波数設定の指示を行い、前記第２のＣＰＵはデジタルアナログチューナに対して周波数設定を行うことを特徴とした請求項１記載のデジタルアナログ放送受信装置。
【請求項６】
全ＣＨ管理部に格納されているアナログ及びデジタルのチャンネル番号、タイトル名及び主音声か副音声等の情報を可視情報として表示するＯＳＤを追加したことを特徴とした請求項５記載のデジタルアナログ放送受信装置。
【請求項７】
第１のＣＰＵがハングした時、第２のＣＰＵは切り替えスイッチの向きを第２のＣＰＵに切り替えて、デジタルアナログチューナに対して周波数設定を行い、アナログ放送の視聴を可能とすることを特徴とした請求項５記載のデジタルアナログ放送受信装置。
【請求項８】
第１のＣＰＵがハングした時、第２のＣＰＵは切り替えスイッチの向きを第２のＣＰＵに切り替えて、デジタルアナログチューナに対して周波数設定を行い、アナログ放送の視聴を可能とすることを特徴とした請求項６記載のデジタルアナログ放送受信装置。
【発明の詳細な説明】
【０００１】
【発明の属する技術分野】
本発明は，デジタル放送及びアナログ放送を切り替えて受信するデジタルアナログ放送受信装置に関するものである。
【０００２】
【従来の技術】
近年、世界的にデジタル放送が始まり、従来のアナログの放送だけでなく、デジタル放送も受信できるデジタルアナログ放送受信装置の開発が進んでいる。
【０００３】
図７は、従来のデジタルアナログ放送受信装置の構成図であり、１はアンテナ、２は分配器、３はデジタルチューナ、４はアナログチューナ、５はアナログ映像処理部、６はＤＥＭＵＸ、７はビデオデコーダ、８はデジタルチューナ制御線、９はアナログ制御線、１０はデジタル用ＯＳＤ、１１はデジタル側ＣＰＵ、１２はアナログ用ＯＳＤ、１３は切り替え回路、１４はＣＰＵ間制御線、１５はアナログ側ＣＰＵ、１６はリモコン受光器、１７はリモコン送信装置である（例えば、特許文献１参照）。
【０００４】
次に、図７を用いて、従来のデジタルアナログ放送受信装置の動作について説明する。アナログ側ＣＰＵ１５は、アナログチューナ４により有局判断処理を担当し、デジタルＣＰＵ１１は、デジタルチューナ３による有局判断処理を担当する。アナログチューナ１５による有局判断で無局と判断された場合、アナログ側ＣＰＵ１５は同チャネルについての有局判断処理の開始をデジタル側ＣＰＵに指示する。この指示によってデジタルチューナ３による有局判断処理が開始され、同チャネルがデジタル放送であれば、有局と判断されることになるから、選局チャネルがアナログ放送であっても自動的に判断してチャネル設定を行うことができる。
【０００５】
最初に、デジタル放送を受信する場合を想定する。ＴＶ視聴者は、リモコン送信機１７にて、所望のデジタル放送の番組を選択し、デジタルアナログ放送受信装置内のリモコン受光器１６経由で、ＴＶ視聴者の所望するＴＶ番組のＣＨ番号を、アナログ側ＣＰＵ１５に伝え、アナログＣＰＵ側ＣＰＵ１５は、このＣＨ番号をデジタルチューナ３に伝える。なお、この例では、リモコン受光器１６が、アナログ側ＣＰＵ１５と接続されているが、ＣＨ情報をやりとりできるメカニズムがあれば、リモコン受光器１６は、デジタル側ＣＰＵ１１と接続されていても良い。また、デジタル放送は、アンテナ１、分配器２経由で、デジタルチューナ３及びアナログチューナ４に到達する。アナログ側ＣＰＵ１５は、アナログチューナ４の状態を調べ、アナログ放送ではないと判断し、アナログ映像処理部５より後段のアナログの処理をストップする。
【０００６】
一方、デジタル側ＣＰＵ１１は、デジタルチューナ３の状態を調べ、デジタル放送だと判断し、デジタルパケットを抽出するようにＤＥＭＵＸ６に指示、デジタル放送のビデオの再生処理を実行するようビデオデコーダ７に指示し、デジタル用ＯＳＤ１０は、ＴＶ番組のＣＨ番号、タイトル名、主音声か副音声かの情報等をＴＶ画面上にスーパーインポーズして表示する。
【０００７】
次に、アナログ放送を受信する場合を想定する。この場合、デジタル側ＣＰＵ１１は、デジタルチューナ３の状態を調べ、デジタル放送でないと判断し、ＤＥＭＵＸ６より後段のデジタルの処理をストップする。一方、アナログ側ＣＰＵ１５は、アナログチューナ４の状態を調べ、アナログ放送と判断し、アナログ映像処理部５によりビデオの再生処理が行われ、アナログ用ＯＳＤ１２によりＴＶ番組のＣＨ番号、主音声か副音声かの情報等をＴＶ画面上にスーパーインポーズして表示する。
【０００８】
【特許文献１】
特開２００２−２１８３３４号公報
【０００９】
【発明が解決しようとする課題】
しかしながら、従来のデジタルアナログ放送受信装置では、アナログ用とデジタル用の２つのチューナ（チューナ１個毎に約５ドル）、分配器（約５ドル）、更にアナログ放送とデジタル放送用に２つのＯＳＤも必要となり、コストアップという問題点があった。また、アナログ用のＯＳＤとデジタル用のＯＳＤでの表示画像の色合い、チャンネル番号等の表示位置が異なり、アナログとデジタルの視聴の切り替え時に視聴者はＯＳＤの質感の悪さを感じるという問題があった。
【００１０】
更に、アナログとデジタルの放送を頻繁に切り替えて視聴する等の操作を行った時、２つのＣＰＵ間の通信負荷が増える等の理由から片方のＣＰＵがハングし、その際、他方のＣＰＵがその通信の返答待ちで、２つのＣＰＵが動作不能となり、アナログ放送とデジタル放送の両方が視聴できない問題が発生する可能性があった。
【００１１】
また、デジタルとアナログ番組を選局する場合、視聴者はデジタル番組かアナログ放送かを意識して選局する必要があり、デジタルとアナログを意識させないシームレス選局ができなかった。
【００１２】
【課題を解決するための手段】
上記問題を解決するために、本発明（請求項１）は、デジタル放送及びアナログ放送を受信するデジタルアナログチューナ、第１のＣＰＵ、第２のＣＰＵ、デジタル放送を可視情報に変換するデジタル再生部およびアナログ放送を可視情報に変換するアナログ再生部を備えたデジタルアナログ放送受信装置において、第１のＣＰＵはデジタル放送の有局判断で有局と判断した場合にデジタル放送を可視情報へ変換するようデジタル再生部へ指示し、アナログ放送の有局判断で有局と判断した場合に第２のＣＰＵへ通知し、この通知を受け取った第２のＣＰＵはアナログ放送を可視情報へ変換するようアナログ再生部へ指示するようにしたものである。
【００１３】
また、本発明（請求項２）は、請求項１記載のデジタルアナログ放送受信装置において、第１のＣＰＵはアナログ放送の有局判断で有局と判断した場合にアナログ放送から可視情報への変換をアナログ再生部へ指示し、デジタル放送の有局判断で有局と判断した場合に第２のＣＰＵへ通知し、この通知を受け取った第２のＣＰＵはデジタル放送から可視情報への変換をデジタル再生部へ指示するようにしたものである。
【００１４】
また、本発明（請求項３）は、デジタルアナログチューナの制御を第１のＣＰＵか第２のＣＰＵのどちらかを選択する切り替えスイッチを追加し、前記切り替えスイッチは第１のＣＰＵからの制御すること行うようにしたものである。
【００１５】
また、本発明（請求項４）は、デジタルアナログチューナの制御を第１のＣＰＵか第２のＣＰＵのどちらかを選択する切り替えスイッチを追加し、前記切り替えスイッチは第１のＣＰＵからの制御することを行うようにしたものである。
【００１６】
また、本発明（請求項５）は、デジタル放送及びアナログ放送の全番組の周波数情報を格納する全ＣＨ管理部を追加し、オートスキャン時に第１のＣＰＵは第２のＣＰＵに対して切り替えスイッチの向きを第２のＣＰＵに切り替えてアナログのオートスキャンの指示を行い、このオートスキャンされたアナログ放送の周波数情報を前記全ＣＨ管理部に格納し、通常番組選択時に第１のＣＰＵは視聴者が所望するチャンネル番号に対応する周波数情報を前記ＣＨ管理部から入手し、デジタル放送の場合はデジタルアナログチューナに対して周波数設定を行い、アナログ放送の場合は前記第２のＣＰＵに対して周波数設定の指示を行い、前記第２のＣＰＵはデジタルアナログチューナに対して周波数設定を行うようにしたものである。
【００１７】
また、本発明（請求項６）は、全ＣＨ管理部に格納されているアナログ及びデジタルのチャンネル番号、タイトル名及び主音声か副音声等の情報を可視情報として表示するＯＳＤを追加したことを行うようにしたものである。
【００１８】
また、本発明（請求項７及び請求項８）は、第１のＣＰＵがハングした時、第２のＣＰＵは切り替えスイッチの向きを第２のＣＰＵに切り替えて、デジタルアナログチューナに対して周波数設定を行うようにしたものである。
【００１９】
【発明の実施の形態】
（実施の形態１）
図１は本発明の形態１によるデジタルアナログ放送受信装置を示す図である。図１において、図７と同一符号は同一又は相当部分である。図７に示した従来のデジタルアナログ放送受信装置との違いは、分配器、デジタルチューナ及びアナログチューナをデジタルアナログチューナ１８に置き換え、デジタル用ＯＳＤ及びアナログ用ＯＳＤを単一のＯＳＤ１０に置き換え、デジタルアナログチューナ１８及びＯＳＤ１０をデジタル側ＣＰＵ１１にて制御するように変更した点である。
【００２０】
上記のように構成された本実施の形態１によるデジタルアナログ放送受信装置の動作を以下に説明する。
【００２１】
最初に、デジタル放送を受信する場合を想定する。この場合、デジタル放送は、アンテナ１経由で、デジタルアナログチューナ１８に到達し、以下の処理が行われる。
【００２２】
（１）デジタル側ＣＰＵ１１は、デジタルアナログチューナ１８の状態を調べ、デジタル放送と判断する。
【００２３】
（２）デジタル側ＣＰＵ１１は、アナログ側ＣＰＵ１５に、デジタル放送である旨を伝える。
【００２４】
（３）アナログ側ＣＰＵ１５は、アナログ映像処理部５より後段のアナログの処理をストップする。
【００２５】
（４）デジタル側ＣＰＵ１１は、デジタルパケットを抽出するようにＤＥＭＵＸに６に指示、デジタル放送のビデオの再生処理を実行するようビデオデコーダ７に指示する。
【００２６】
（５）ＯＳＤ１０は、ＴＶ番組のチャンネル番号、タイトル名、主音声か副音声かの情報等をＴＶ画面上にスーパーインポーズして表示する。
【００２７】
次に、アナログ放送を受信する場合を想定する。この場合、アナログ放送は、アンテナ１経由で、デジタルアナログチューナ１８に到達し、以下の処理が行われる。
【００２８】
（６）デジタル側ＣＰＵ１１は、デジタルアナログチューナ１８の状態を調べ、アナログ放送と判断する。
【００２９】
（７）デジタル側ＣＰＵ１１は、アナログ側ＣＰＵ１５に、アナログ放送である旨を伝える。
【００３０】
（８）デジタル側ＣＰＵ１１は、ＤＥＭＵＸ６及びビデオデコーダ７の処理をストップする。
【００３１】
（９）アナログ側ＣＰＵ１５は、アナログ映像処理部５にビデオの再生処理を指示する。
【００３２】
（１０）ＯＳＤ１０は、ＴＶ番組のチャンネル番号、主音声か副音声かの情報等をＴＶ画面上にスーパーインポーズして表示する。
【００３３】
このように本発明の実施の形態１では、アナログ用とデジタル用の２つのチューナ及び分配器を単一のデジタルアナログチューナに置き換えるたから、チューナを一つ減らすことにより約５ドルを減少、分配器を削除することにより５ドル減少することができ、単一のＯＳＤを備えたから、アナログ用のＯＳＤとデジタル用のＯＳＤで、表示画像の色合い、チャンネル番号等の表示位置が異なり、アナログとデジタルの視聴の切り替え時に視聴者はＯＳＤの質感の悪さを感じるという問題を防止できる。
【００３４】
（実施の形態２）
図２は本発明の形態２によるデジタルアナログ放送受信装置を示す図である。図２において、図１と同一符号は同一又は相当部分である。本発明の形態１によるデジタルアナログ放送受信装置との違いは、図１では、双方向のＣＰＵ制御線１４にて、デジタル側ＣＰＵ１１とアナログ側ＣＰＵ１５が制御情報を交換していたのに対し、図２では、マスターＣＰＵ１８が単方向のＣＰＵ制御線にて、スレーブＣＰＵ１２を制御する変更を加えたことと、デジタルアナログチューナ１８を制御するＣＰＵを切り替えるための切り替えスイッチ１９を備えたことである。図５はマスターＣＰＵでチューナを制御する状態を示す図であり、図６はスレーブＣＰＵでチューナを制御する状態を示す図である。
【００３５】
上記のように構成された本実施の形態２によるデジタルアナログ放送受信装置の動作を以下に説明する。
【００３６】
なお、本発明の形態１では、デジタル側ＣＰＵ１１とアナログ側ＣＰＵ１５が双方向に通信していたため、片方のＣＰＵがハングしてしまった場合、他方のＣＰＵも通信の返答（ＡＣＫ）待ちで、処理が止まってしまうこともあり、片方のＣＰＵは動いているがデジタル放送とアナログ放送の両方が視聴できないという問題の回避はなされていなかったので、この回避ポイントも踏まえて説明する。
【００３７】
最初に、デジタル放送を受信する場合を想定する。この場合、デジタル放送は、アンテナ１経由で、デジタルアナログチューナ１８に到達し、以下の処理が行われる。
【００３８】
（１）マスター側ＣＰＵ１８は、切り替えスイッチ１９に対して、デジタルアナログチューナ１８とのチューナ制御線の接続をマスターＣＰＵ１８側に切り替えるように指示する。切り替えスイッチは１９は、図５で示されるように、マスターＣＰＵ１８のみがデジタルアナログチューナと通信できるようになる。
【００３９】
（２）マスターＣＰＵ１８は、デジタルアナログチューナの１８の状態を調べ、デジタル放送と判断する。
【００４０】
（３）マスター側ＣＰＵ１８は、切り替えスイッチ１９に対して、デジタルアナログチューナ１８とのチューナ制御線の接続をスレーブＣＰＵ１２側に切り替えるように指示する。切り替えスイッチは１９は、図６で示されるように、スレーブＣＰＵ１２のみがデジタルアナログチューナと通信できるようになる。
【００４１】
（４）マスター側ＣＰＵ１８は、アナログ映像処理部５より後段のアナログの処理をストップする。
【００４２】
（５）スレーブＣＰＵ１２は、デジタルパケットを抽出するようにＤＥＭＵＸに６に指示、デジタル放送のビデオの再生処理を実行するようビデオデコーダ７に指示する。
【００４３】
（６）ＯＳＤ１０は、ＴＶ番組のチャンネル番号、タイトル名、主音声か副音声かの情報等をＴＶ画面上にスーパーインポーズして表示する。
【００４４】
次に、アナログ放送を受信する場合を想定する。この場合、アナログ放送は、アンテナ１経由で、デジタルアナログチューナ１８に到達し、以下の処理が行われる。
【００４５】
（７）マスター側ＣＰＵ１８は、切り替えスイッチ１９に対して、デジタルアナログチューナ１８とのチューナ制御線の接続をマスターＣＰＵ１８側に切り替えるように指示する。
【００４６】
（８）マスターＣＰＵ１８は、デジタルアナログチューナの１８の状態を調べ、アナログ放送と判断する。
【００４７】
（９）マスターＣＰＵ１８は、スレーブＣＰＵ１２に対して、デジタルの処理ストップの指示を行う。
【００４８】
（１０）スレーブＣＰＵ１２は、ＤＥＭＵＸ６及びビデオデコーダ７の処理をストップする。
【００４９】
（１１）マスターＣＰＵ１８は、アナログ映像処理部５にビデオの再生処理を指示する。
【００５０】
（１２）ＯＳＤ１０は、ＴＶ番組のチャンネル番号、主音声か副音声かの情報等をＴＶ画面上にスーパーインポーズして表示する。
【００５１】
ここで、例えば、スレーブＣＰＵがハングした場合を考える。この時、デジタル放送を視聴する場合は、（５）の処理ができないため、デジタル放送は視聴できないが、マスターＣＰＵ１８は動作可能であるので、（１１）の処理は可能であり、アナログ放送は、視聴可能である。ＴＶ視聴者は、全く視聴できない場合は、非常するに不快であるが、少なくともアナログ放送だけでも視聴できる場合は、その不満は激減する。
【００５２】
このように本発明の実施の形態２では、マスターＣＰＵが単方向のＣＰＵ制御線にて、スレーブＣＰＵを制御する変更を加えたことと、デジタルアナログチューナを制御するＣＰＵを切り替えるための切り替えスイッチを備えたから、片方のＣＰＵは動いている場合のデジタル放送とアナログ放送の両方が視聴できないという問題を回避することができる。
【００５３】
（実施の形態３）
図３は本発明の形態３によるデジタルアナログ放送受信装置を示す図である。図３において、図２と同一符号は同一又は相当部分である。本発明の形態２によるデジタルアナログ放送受信装置との違いは、図２では、マスターＣＰＵ１８は、スレーブＣＰＵ制御とアナログ放送制御を行い、スレーブＣＰＵ１２はデジタル放送制御を行っていたが、図３では、マスターデジタルＣＰＵ２１がスレーブアナログＣＰＵ制御及びデジタル放送制御を行い、スレーブアナログＣＰＵはアナログ放送制御を行う。
【００５４】
上記のように構成された本実施の形態３によるデジタルアナログ放送受信装置の動作は、マスターデジタルＣＰＵ２１がスレーブアナログＣＰＵ制御及びデジタル放送制御を行い、スレーブアナログＣＰＵはアナログ放送制御する以外は、本実施の形態２と同様である。
【００５５】
ここで、例えば、スレーブアナログＣＰＵ２２がハングした場合を考える。この時、アナログ放送を視聴する場合は、アナログ放送の再生処理ができないため、アナログ放送は視聴できないが、マスターデジタルＣＰＵ２１は動作可能であるので、デジタル放送の再生処理は可能であり、デジタル放送は、視聴可能である。ＴＶ視聴者は、全く視聴できない場合は、非常に不快であるが、少なくともデジタル放送だけでも視聴できる場合は、その不満は激減する。
【００５６】
このように本発明の実施の形態３では、マスターデジタルＣＰＵが単方向のＣＰＵ制御線にて、スレーブアナログＣＰＵを制御する変更を加えたことと、デジタルアナログチューナを制御するＣＰＵを切り替えるための切り替えスイッチを備えたから、片方のＣＰＵは動いている場合のデジタル放送とアナログ放送の両方が視聴できないという問題を回避することができる。
【００５７】
（実施の形態４）
図４は本発明の形態４によるデジタルアナログ放送受信装置を示す図である。図４において、図３と同一符号は同一又は相当部分である。本発明の形態４によるデジタルアナログ放送受信装置との違いは、デジタルおよびアナログのいずれのチャンネル番号も全てデジタル側ＣＰＵ１１によって管理するための全ＣＨ管理部２３を追加し、アナログ選局の指示もデジタル側ＣＰＵ１１がアナログ側ＣＰＵ１５に出す点と、デジタルアナログチューナの制御線は、アナログ側ＣＰＵ１５によって切り替える点である。
【００５８】
上記のように構成された本実施の形態２によるデジタルアナログ放送受信装置の動作を以下に説明する。
【００５９】
まず、デジタルアナログ放送受信装置の設置、あるいは必要に応じて、以下のような手順で、デジタル及びアナログのＴＶ番組が存在する周波数とＣＨ番号の対応表を作成する必要がある。
【００６０】
（１）デジタルＣＰＵ１１は、アナログＣＰＵ１５に対して、切り替えスイッチ１９をアナログ側ＣＰＵに切り替えるよう指示を行う。
【００６１】
（２）アナログＣＰＵは１５は、オートスキャンを行い、アナログのＣＨ番号の情報をＣＰＵ制御線１４を介して、デジタル側ＣＰＵ１１に送る。
【００６２】
（３）デジタル側ＣＰＵ１１は、このアナログＣＨ情報を全ＣＨ管理部２３を格納する。
【００６３】
（４）デジタルＣＰＵ１１は、アナログＣＰＵ１５に対して、切り替えスイッチ１９をデジタル側ＣＰＵに切り替えるよう指示を行う。
【００６４】
（５）デジタルＣＰＵ１１は、オートスキャンを行い、デジタルのＣＨ番号の情報を全ＣＨ管理部２３を格納する。
【００６５】
このようにして、全てのデジタルおよびアナログチャンネル番号に関する情報が、全ＣＨ管理部２３に格納される。
【００６６】
例えば、アナログとデジタルＣＨが混在した放送のＣＨアップダウン選局を行う場合を考える。
【００６７】
（６）デジタル側ＣＰＵ１１は、全ＣＨ管理部２３に格納されているアナログ放送のＣＨ情報から、アナログ番組の周波数の値を入手し、ＣＰＵ間制御線１４介し、アナログ側ＣＰＵ１５に送ることにより、アナログ選局を指示。
【００６８】
（７）アナログ側ＣＰＵ１５は、切換制御線２０をアナログ側に切り替え、デジタルアナログチューナ１８を制御してアナログチャンネル選局を行う。
【００６９】
（８）アナログチャンネルが存在すれば、アナログ側ＣＰＵ１５は、デジタル側ＣＰＵ１１に、そのことをＣＰＵ間制御線１４を介して通知すると同時に音声多重放送の情報やＣｌｏｓｅｄ  Ｃａｐｔｉｏｎの情報などＯＳＤ表示に必要な情報も通知する。デジタル側ＣＰＵ１１は、これらの情報をデジタル放送受信とアナログ放送受信のどちらの場合にも、ＯＳＤ１０にて高品位な画像を表示する。
【００７０】
（９）前記（８）で、アナログチャンネルが存在しなければ、アナログ側ＣＰＵ１５
は、デジタル／アナログ切換線をデジタル側に切り替え、そのことをＣＰＵ間制御線１４を介してデジタル側ＣＰＵ１１に通知する。
【００７１】
（１０）デジタル側ＣＰＵ１１は、この通知を受け取ると、全ＣＨ管理部２３に格納されているデジタルのＣＨの周波数を入手し、デジタルアナログチューナ１８を制御してデジタルチャンネル選局を行う。
【００７２】
（１１）デジタルチャンネルが存在すれば、ＴＶ番組のチャンネル番号、タイトル名、主音声か副音声かの情報等をＴＶ画面上に表示する。存在しなければ、「Ｎｏ  Ｓｔａｔｉｏｎ  Ｆｏｕｎｄ」などのＯＳＤ表示を行う。
【００７３】
上記のような処理により、視聴者はアナログとデジタルを意識することなく、ＣＨ選局が可能となる。また、もし万が一、デジタルＣＰＵ１１がハングしたとしても、アナログＣＰＵ１５により、アナログ放送の視聴は可能である。
【００７４】
このように本発明の実施の形態４では、デジタルおよびアナログのいずれのチャンネル番号も全てデジタル側ＣＰＵによって管理するための全ＣＨ管理部２３を追加し、アナログ選局の指示もデジタル側ＣＰＵがアナログ側ＣＰＵに出し、デジタルアナログチューナの制御線は、アナログ側ＣＰＵによって切り替えるようにしたから、デジタルとアナログを意識させないシームレス選局ができない問題を解決し、片方のＣＰＵは動いている場合のデジタル放送とアナログ放送の両方が視聴できないという問題を回避することができる。
【００７５】
【発明の効果】
以上のように、本発明によれば、コストアップという問題点を回避でき、更にアナログ用のＯＳＤとデジタル用のＯＳＤでの表示画像の色合い、チャンネル番号等の表示位置が異なり、アナログとデジタルの視聴の切り替え時に視聴者はＯＳＤの質感の悪さを感じるという問題を回避できるという効果がある。
【００７６】
また、アナログとデジタルの放送を頻繁に切り替えて視聴する等の操作を行った時、２つのＣＰＵ間の通信負荷が増える等の理由から片方のＣＰＵがハングし、その際、他方のＣＰＵがその通信の返答待ちで、アナログ放送とデジタル放送の両方が視聴できない問題を回避できる効果がある。
【００７７】
また、デジタルとアナログ番組を選局する場合、デジタルとアナログを意識させないシームレス選局ができるという効果がある。
【図面の簡単な説明】
【図１】本発明の実施の形態１によるデジタルアナログ放送受信装置の構成を示す図
【図２】本発明の実施の形態２によるデジタルアナログ放送受信装置の構成を示す図
【図３】本発明の実施の形態３によるデジタルアナログ放送受信装置の構成を示す図
【図４】本発明の実施の形態４によるデジタルアナログ放送受信装置の構成を示す図
【図５】本発明の実施の形態２によるマスターＣＰＵでチューナを制御する状態を示す図
【図６】本発明の実施の形態２によるスレーブＣＰＵでチューナを制御する状態を示す図
【図７】従来のデジタルアナログ放送受信装置の構成を示す図
【符号の説明】
１  アンテナ
２  分配器
３  デジタルチューナ
４  アナログチューナ
５  アナログ映像処理部
６  ＤＥＭＵＸ
７  ビデオデコーダ
８  デジタルチューナ制御線
９  アナログチューナ制御線
１０  デジタル用ＯＳＤ
１１  デジタル側ＣＰＵ
１２  アナログ用ＯＳＤ
１３  切り替え回路
１４  ＣＰＵ制御線
１５  アナログ側ＣＰＵ
１６  リモコン受光器
１７  リモコン送信機
１８  デジタルアナログチューナ
１９  切り替えスイッチ
２０  切り替え制御線
２１  マスターデジタルＣＰＵ
２２  スレーブアナログＣＰＵ
２３  全ＣＨ管理部
【図１】
2005027071.tif 000003
【図２】
2005027071.tif 000004
【図３】
2005027071.tif 000005
【図４】
2005027071.tif 000006
【図５】
2005027071.tif 000007
【図６】
2005027071.tif 000008
【図７】
2005027071.tif 000009